(57)【要約】【課題】  コンパクトに収容できて、低コストで生産可能なＵＳＢ電源利用の小型扇風機を得ること。【解決手段】  本体ケース１と、羽根部２と、羽根部を回転駆動するモータＭと、ＵＳＢ電源に着脱可能に接続されるコネクタ４を設けたＵＳＢケーブル３と、本体ケース１に開閉回動可能に設けられる蓋ケース５とを備え、本体ケース１は、羽根部２の回転方向に沿うケース側面部１１に、ＵＳＢケーブル３を巻きつけた際に当該ＵＳＢケーブルを収納可能な溝部１２を設け、本体ケース１のケース側面部１１または前記ケース背面部１３には、ＵＳＢケーブル３のコネクタ４を装着可能なコネクタ装着部１４を設け、ＵＳＢケーブル３は、これをケース側面部１１の溝部１２に少なくとも１周巻きつけた際に、コネクタ４がコネクタ装着部１４に装着可能となるケーブル長さを有する構造のＵＳＢ電源を利用する小型扇風機である。【選択図】  図１２
2019138153.tif 000002
【特許請求の範囲】
【請求項１】
ＵＳＢ電源を利用する扇風機において、
本体ケース（１）と、前記本体ケースに収納される羽根部（２）と、前記羽根部を回転駆動するモータ（Ｍ）と、ＵＳＢ電源に着脱可能に接続されるコネクタ（４）を設けたＵＳＢケーブル（３）と、前記本体ケース（１）に開閉回動可能に設けられる蓋ケース（５）とを備え、
前記本体ケース（１）は、前記羽根部（２）の回転方向に沿うケース側面部（１１）に、前記ＵＳＢケーブル（３）を巻きつけた際に当該ＵＳＢケーブルを収納可能な溝部（１２）を設け、
前記本体ケース（１）の前記ケース側面部（１１）またはケース背面部（１３）には、前記ＵＳＢケーブル（３）の前記コネクタ（４）を装着可能なコネクタ装着部（１４）を設け、
前記ＵＳＢケーブル（３）は、当該ＵＳＢケーブルを前記ケース側面部（１１）の前記溝部（１２）に少なくとも１周巻きつけた際に、前記コネクタ（４）が前記コネクタ装着部（１４）に装着可能となるケーブル長さを有することを特徴とする小型扇風機。
【請求項２】
前記コネクタ装着部（１４）の位置、および、前記ＵＳＢケーブル（３）のケーブル長さは、前記ＵＳＢケーブル（３）の巻きつけ方向が時計方向、反時計方向のいずれにおいても前記コネクタ（４）が前記コネクタ装着部（１４）に装着可能となるように設けられていることを特徴とする請求項１記載の小型扇風機。
【請求項３】
前記本体ケース（１）の正面側の下端部に、前記蓋ケース（５）の下端部が、ヒンジ部材（６）を介して回動可能に設けられていることを特徴とする請求項１記載の小型扇風機。
【請求項４】
前記本体ケース（１）には、前記蓋ケース（５）が回動した際に、当該蓋ケースが前記本体ケース（１）の背後において、双方のなす角が９０度を越えない位置で係止される当接部（１５）が設けられていることを特徴とする請求項１記載の小型扇風機。
【請求項５】
前記蓋ケース（５）の正面部（５１）には、前記本体ケース（１）が設置される設置対象物に対し滑り止めとなるスリップ回避構造（５２）が形成されていることを特徴とする請求項１記載の小型扇風機。
【請求項６】
前記スリップ回避構造（５２）は、前記蓋ケース（５）の正面側に可撓性のある部材（５２ｂ）を装着することにより形成されていることを特徴とする請求項５記載の小型扇風機。
【請求項７】
前記スリップ回避構造（５２）は、前記蓋ケース（５）の正面側に磁石部材（５２ｃ）を装着することにより形成されていることを特徴とする請求項５記載の小型扇風機。
【発明の詳細な説明】
【技術分野】
【０００１】
本発明は、ＵＳＢ電源を利用する扇風機に関し、より詳細には、ＵＳＢケーブルを巻きまわしてコンパクトに収納できる可搬型の小型扇風機に関する。
【背景技術】
【０００２】
従来、可搬型の小型扇風機として、電池式のものが知られている。この電池式の扇風機は、長時間の使用になるとしばしば電池交換をする必要があり、手間が掛かって煩わしいとともに非経済的でもある点に鑑み、例えば特許文献１〜３に示すように、ＵＳＢ電源を利用する扇風機が提案されている。
【０００３】
この種のＵＳＢ電源を利用する扇風機において、持ち運び可能なものは、別部品としてカバーをつけて塵埃の付着を防止したり、ＵＳＢケーブルを用いるのでこれを巻き取る器具を具備したり、また、同ケーブルを束ねるための器具を用いたりしている。
【先行技術文献】
【特許文献】
【０００４】
【特許文献１】実用新案登録第３０９１３２７号公報
【特許文献２】実用新案登録第３１６６９２８号公報
【特許文献３】実用新案登録第３１７４４６８号公報
【発明の概要】
【発明が解決しようとする課題】
【０００５】
前記ＵＳＢ電源を利用する扇風機において、別部品としてカバーを設けるものや、別途にＵＳＢケーブルの巻き取る器具を具備するもの、あるいはケーブルを束ねるための器具を用いるもの等は、別部品であるため紛失する不具合がある。
【０００６】
また、前記のケーブルを巻き取る器具等は構造が複雑になってコスト高となる不都合を生じる。
【０００７】
そこで本発明は、上述した不具合や不都合を回避でき、従来よりもコンパクトに収容できて、低コストで生産可能なＵＳＢ電源利用の小型扇風機を得ることを目的とするものである。
【課題を解決するための手段】
【０００８】
本願第１請求項に記載した発明は、実施例で用いた符号を付して記すと、ＵＳＢ電源を利用する扇風機において、
本体ケース１と、前記本体ケースに収納される羽根部２と、前記羽根部を回転駆動するモータＭと、ＵＳＢ電源に着脱可能に接続されるコネクタ４を設けたＵＳＢケーブル３と、前記本体ケース１に開閉回動可能に設けられる蓋ケース５とを備え、
前記本体ケース１は、前記羽根部２の回転方向に沿うケース側面部１１に、前記ＵＳＢケーブル３を巻きつけた際に当該ＵＳＢケーブルを収納可能な溝部１２を設け、
前記本体ケース１の前記ケース側面部１１またはケース背面部１３には、前記ＵＳＢケーブル３の前記コネクタ４を装着可能なコネクタ装着部１４を設け、
前記ＵＳＢケーブル３は、当該ＵＳＢケーブルを前記ケース側面部１１の前記溝部１２に少なくとも１周巻きつけた際に、前記コネクタ４が前記コネクタ装着部１４に装着可能となるケーブル長さを有することを特徴とする小型扇風機である。
【０００９】
本願第２請求項に記載した発明は、前記コネクタ装着部１４の位置、および、前記ＵＳＢケーブル３のケーブル長さは、前記ＵＳＢケーブル３の巻きつけ方向が時計方向、反時計方向のいずれにおいても前記コネクタ４が前記コネクタ装着部１４に装着可能となるように設けられていることを特徴とする請求項１記載の小型扇風機である。
【００１０】
本願第３請求項に記載した発明は、前記本体ケース１の正面側の下端部に、前記蓋ケース５の下端部が、ヒンジ部材６を介して回動可能に設けられていることを特徴とする請求項１記載の小型扇風機である。
【００１１】
本願第４請求項に記載した発明は、前記本体ケース１には、前記蓋ケース５が回動した際に、当該蓋ケースが前記本体ケース１の背後において、双方のなす角が９０度を越えない位置で係止される当接部１５が設けられていることを特徴とする請求項１記載の小型扇風機である。
【００１２】
本願第５請求項に記載した発明は、前記蓋ケース５の正面部５１には、前記本体ケース１が設置される設置対象物に対し滑り止めとなるスリップ回避構造５２が形成されていることを特徴とする請求項１記載の小型扇風機である。
【００１３】
本願第６請求項に記載した発明は、前記スリップ回避構造５２は、前記蓋ケース５の正面側に可撓性のある部材５２ｂを装着することにより形成されていることを特徴とする請求項５記載の小型扇風機である。
【００１４】
本願第７請求項に記載した発明は、前記スリップ回避構造５２は、前記蓋ケース５の正面側に磁石部材５２ｃを装着することにより形成されていることを特徴とする請求項５記載の小型扇風機である。
【発明の効果】
【００１５】
本願第１請求項に記載した発明によれば、本体ケース１に蓋ケース５を開閉回動可能に設けているので、扇風機を使用しないときには、別部品の蓋を設けることなく、この蓋ケース５により羽根部２へ塵埃等が入らないように蓋をすることができる。
【００１６】
また、本体ケース１には、羽根部２の回転方向に沿うケース側面部１１に、ＵＳＢケーブルを収納可能な溝部１２を設けているので、この溝部１２に、ＵＳＢケーブル３を巻きつけた際に当該ＵＳＢケーブルが収納されるので、前記蓋ケース５と相俟って、扇風機における収納形態をコンパクト化することができる。
【００１７】
更に、本体ケース１の前記ケース側面部１１またはケース背面部１３には、ＵＳＢケーブル３のコネクタ４を装着可能なコネクタ装着部１４を設け、そして、ＵＳＢケーブル３は、当該ＵＳＢケーブルをケース側面部１１の溝部１２に少なくとも１周巻きつけた際に、コネクタ４がコネクタ装着部１４に装着可能となるケーブル長さを有するので、ＵＳＢケーブル３は弛緩することなく収納することができる。
【００１８】
本願第２請求項に記載した発明によれば、コネクタ装着部１４の位置、および、ＵＳＢケーブル３のケーブル長さは、ＵＳＢケーブル３の巻きつけ方向が時計方向、反時計方向のいずれにおいても、コネクタ４がコネクタ装着部１４に装着可能となるように設けられているので、使用者はＵＳＢケーブル３の巻きつけ方向を時計又は反時計方向のいずれをも選択することができて、ＵＳＢケーブル３の取り巻きの自由度を向上させることができる。
【００１９】
本願第３請求項に記載した発明によれば、本体ケース１の正面側の下端部に、蓋ケース５の下端部が、ヒンジ部材６を介して回動可能に設けられているので、蓋ケース５は回動することにより、一方で、本体ケース１の正面側を閉塞して羽根部２へ塵埃等が入らないようにすることができ、他方で、本体ケース１の下端部においては本体ケース１の底板部となり得る。
【００２０】
また、本願第４請求項に記載した発明によれば、本体ケース１には、蓋ケース５が回動した際に、当該蓋ケースが本体ケース１の背後において、双方のなす角が９０度を越えない位置で係止される当接部１５が設けられているので、扇風機の設置対象物、例えばテーブル等に蓋ケース５が載置された際に、本体ケース１は垂直方向に対し９０度を越えない角度を保って上方向に傾くので、扇風機の使用時には一般的に使用勝手の良い上方向に傾いた方向へ送風されることになる。
【００２１】
本願第５請求項に記載した発明によれば、蓋ケース５の正面部５１には、前記本体ケース１が設置される設置対象物に対し滑り止めとなるスリップ回避構造５２が形成されているので、本体ケース１の正面部５１によって、当該設置対象物に対するスリップ現象が回避され得ることとなる。
【００２２】
上記スリップ回避構造５２は、本願第６請求項のように、蓋ケース５の正面側に可撓性のある部材５２ｂ、例えば可撓性のある軟質プラスチック部材やゴム部材を装着することにより形成される等、適宜のスリップ回避部材を用いて良い。
【００２３】
また、上記スリップ回避構造５２は、設置対象物が磁性体であるような場合、本願第７請求項に記載されている構造、すなわち、前記蓋ケース５の正面側に磁石部材５２ｃを装着するようにしても良い。
【図面の簡単な説明】
【００２４】
【図１】本発明の実施例に係り、使用時における小型扇風機を示す斜視図である。
【図２】本発明の実施例に係り、使用時における小型扇風機を示す正面図である。
【図３】本発明の実施例に係り、使用時における小型扇風機を示す右側面図である。
【図４】本発明の実施例に係り、使用時における小型扇風機を示す背面図である。
【図５】本発明の実施例に係り、使用時における小型扇風機を示す平面図である。
【図６】本発明の実施例に係り、使用時における小型扇風機を示す底面図である。
【図７】本発明の実施例に係り、非使用時における小型扇風機を示す斜視図である。
【図８】本発明の他の実施例（第２例）に係り、使用時における小型扇風機を示す斜視図である。
【図９】本発明の他の実施例（第２例）に係り、使用時における小型扇風機を示す正面図である。
【図１０】本発明の他の実施例（第２例）に係り、使用時における小型扇風機を示す右側面図である。
【図１１】本発明の他の実施例（第２例）に係り、小型扇風機を示す底面図である。
【図１２】本発明の他の実施例（第２例）に係り、図１１の小型扇風機にＵＳＢケーブルを示す底面図である。
【図１３】本発明の他の実施例（第２例）に係り、図１２の小型扇風機のＵＳＢケーブルを時計方向に巻きつけた状態を示す底面図である。
【図１４】本発明の他の実施例（第２例）に係り、図１２の小型扇風機のＵＳＢケーブルを反時計方向に巻きつけた状態を示す底面図である。
【図１５】本発明の他の実施例（第２例）に係り、蓋ケース示す正面図である。
【図１６】本発明の他の実施例（第２例）に係り、蓋ケース示す背面図である。
【図１７】本発明の他の実施例（第２例）に係り、小型扇風機を磁性体たる設置対象物に設置した状態を示す図である。
【図１８】本発明の他の実施例（第３例）に係り、使用時における小型扇風機を示す斜視図である。
【図１９】本発明の他の実施例（第３例）に係り、使用時における小型扇風機を示す斜視図である。
【図２０】本発明の他の実施例（第３例）に係り、非使用時における小型扇風機を示す斜視図である。
【図２１】本発明の他の実施例（第４例）に係り、使用時における小型扇風機を示す斜視図である。
【図２２】本発明の他の実施例（第４例）に係り、使用時における小型扇風機を示す斜視図である。
【図２３】本発明の他の実施例（第４例）に係り、非使用時における小型扇風機を示す斜視図である。
【発明を実施するための形態】
【００２５】
以下に、本発明の実施例を図面（図１〜図７）に基づいて説明する。本例の小型扇風機は、ＵＳＢ電源を利用する扇風機であり、本体ケース１と、この本体ケースに収納される羽根部２と、この羽根部を回転駆動するモータＭと、記本体ケース１に開閉回動可能に設けられる蓋ケース５とを備える。なお、図示を省略したが、ＵＳＢ電源に着脱可能に接続されるコネクタを設けたＵＳＢケーブルが別途設けられている。なお、図中、符号６は、ヒンジ部材、符号７は、スイッチである。
【００２６】
本体ケース１は、羽根部２の回転方向に沿うケース側面部１１に、ＵＳＢケーブルを巻きつけた際に当該ＵＳＢケーブルを収納可能な溝部１２を設け、更に本体ケース１のケース背面部または前記ケース側面部１１には、ＵＳＢケーブルのコネクタを装着可能なコネクタ装着部を設けている。
【００２７】
なお、後に詳述するように、ＵＳＢケーブルは、当該ＵＳＢケーブルを前記ケース側面部１１の前記溝部１２に少なくとも１周巻きつけた際に、コネクタがコネクタ装着部に装着可能となるケーブル長さを有している。
【００２８】
更に、本発明の第２実施例の図面（図８〜図１６）を用いて説明する。図１１に示すように、この例では、本体ケース１のケース側面部１１に、ＵＳＢケーブル３のコネクタ４を装着可能なコネクタ装着部１４を設けている。もっとも、コネクタ装着部１４は、ケース背面部１３等、適宜の箇所に設けても良い。
【００２９】
この例では、ＵＳＢケーブル３は、当該ＵＳＢケーブルをケース側面部１１の溝部１２に少なくとも１周巻きつけた際に、コネクタ４がコネクタ装着部１４に装着可能となるようなケーブル長さを有している。
【００３０】
なお、コネクタ装着部１４の位置、および、ＵＳＢケーブル３のケーブル長さは、前述したものに限られずに、ＵＳＢケーブル３の巻きつけ方向が時計方向、反時計方向のいずれにおいてもコネクタ４がコネクタ装着部１４に装着可能となるように設けても良い。
【００３１】
上述した実施例によれば、本体ケース１に蓋ケース５を開閉回動可能に設けているので、扇風機を使用しないときには、別部品の蓋を設けることなく、この蓋ケース５により羽根部２へ塵埃等が入らないように蓋をすることができる。
【００３２】
また、本体ケース１には、羽根部２の回転方向に沿うケース側面部１１に、ＵＳＢケーブルを収納可能な溝部１２を設けているので、この溝部１２に、ＵＳＢケーブル３を巻きつけた際に当該ＵＳＢケーブルがこの溝部１２に収納されるので、蓋ケース５と相俟って、扇風機における収納形態をコンパクト化することができる。
【００３３】
更に、本体ケース１のケース側面部１１またはケース背面部１３には、ＵＳＢケーブル３のコネクタ４を装着可能なコネクタ装着部１４を設け、そして、ＵＳＢケーブル３は、当該ＵＳＢケーブルをケース側面部１１の溝部１２に少なくとも１周巻きつけた際に、コネクタ４がコネクタ装着部１４に装着可能となるケーブル長さを有するので、ＵＳＢケーブル３は弛緩することなく収納することができる。
【００３４】
また、コネクタ装着部１４の位置、および、ＵＳＢケーブル３のケーブル長さが、ＵＳＢケーブル３の巻きつけ方向が時計方向、反時計方向のいずれにおいても、コネクタ４がコネクタ装着部１４に装着可能となるように設けられている場合は、使用者はＵＳＢケーブル３の巻きつけ方向を時計又は反時計方向のいずれをも選択することができて、ＵＳＢケーブル３の取り巻きの自由度を向上させることができる。
【００３５】
更に、本例では、本体ケース１の正面側の下端部に、蓋ケース５の下端部が、ヒンジ部材６を介して回動可能に設けられている。したがって、蓋ケース５は回動することにより、本体ケース１の正面側を閉塞して羽根部２へ塵埃等が入らないようにすることができるとともに、本体ケース１の下端部においては本体ケース１の底板部となり得るものである。
【００３６】
また、本体ケース１には、蓋ケース５が回動した際に、当該蓋ケースが本体ケース１の背後において、双方のなす角が９０度を越えない位置で係止される当接部１５が設けられている。
【００３７】
このように、蓋ケース５が回動した際に、当該蓋ケースが本体ケース１の背後において、双方のなす角が９０度を越えない位置で係止される当接部１５が設けられているので、扇風機の設置対象物、例えばテーブル等に蓋ケース５が載置された際に、本体ケース１は垂直方向に対し９０度を越えない角度を保って上方向に傾くので、扇風機の使用時には一般的に使用勝手の良い上方向に傾いた方向へ送風されることになる。
【００３８】
蓋ケース５の正面部５１には、本体ケース１が設置される設置対象物に対し滑り止めとなるスリップ回避構造５２が形成されている。なお、この蓋ケース５の正面部５１には、凹凸形状のリブ５２ａが形成されている。このリブ５２ａは、ヒケ防止や強度向上のために設けられているが、後記のように、スリップ回避構造としても機能する。
【００３９】
このスリップ回避構造５２は、図６に示すように、蓋ケース５の正面部５１に凹凸形状のリブ５２ａを設けることにより形成され、また、蓋ケース５の正面側に可撓性のある部材５２ｂ、例えば可撓性のある軟質プラスチック部材やゴム部材を装着することにより形成される等、適宜のスリップ回避部材を用いて良い。
【００４０】
なお、スリップ回避構造５２は、設置対象物が磁性体であるような場合、例えば図１５示すように、リブ５２ａや蓋ケース５の正面側の適所に、磁石部材５２ｃを装着して形成しても良い。
【００４１】
蓋ケース５に磁石部材５２ｃを装着した場合は、図１７に示すように、磁性体で形成される壁面８に、磁石部材５２ｃを介して蓋ケース５を、したがって本体ケース１を、固定することができる。この例のように、磁石部材５２ｃを装着した場合は、例えばオフィス等の金属製磁性体からなる事務機器に小型扇風機を適宜の位置に容易に設置することができるので、使用の汎用性を拡大することが可能となる。また、スリップ回避構造の部材として両面テープ等を用いることもできる。
【００４２】
前述したように、蓋ケース５が回動して本体ケース１の下部に位置すると、当該蓋ケースの正面部５１が、本体ケース１の設置対象物、例えばデスクやテーブルの上面に対面することとなる。そして、この正面部５１には、本体ケース１が設置される設置対象物に対し滑り止めとなるスリップ回避構造５２が形成されているので、本体ケース１の正面部５１によって、当該設置対象物に対するスリップ現象が回避され得ることとなる。
【００４３】
なお、スリップ回避構造５２として、上述したもののほかに、蓋ケース５の正面部５１に、大型の磁石や、両面テープを施す等、適宜の手段を設けても良い。
【００４４】
また、本発明に係る小型扇風機は、前記第１及び第２実施例のような本体ケース１の正面視が四角形状のほかに、図１８〜図２０に示す第３実施例の六角形状や、図２１〜図２３に示す第４実施例の円形状等、適宜の形状のものにも適用することができるものである。
【００４５】
以上説明したように、本例の小型扇風機は、従来よりもコンパクトに収容できて、低コストで生産可能なＵＳＢ電源利用の小型扇風機として構造的にも合理的に構成されたものである。なお、本例における各部の構成は、特許請求の範囲に記載した技術的範囲において適宜に設計変更が可能であり、図例説明したものに限定されないことは勿論である。
【産業上の利用可能性】
【００４６】
本発明は、ＵＳＢケーブルを備えたＵＳＢ電源利用の小型扇風機において、その収納構造一般に好適に利用することが可能である。
【符号の説明】
【００４７】
１    本体ケース
２    羽根部
３    ＵＳＢケーブル
４    コネクタ
５    蓋ケース
６    ヒンジ部材
７    スイッチ
８    壁面
１１    ケース側面部
１２    溝部
１３    ケース背面部
１４    コネクタ装着部
１５    当接部
５１    蓋ケースの正面部
５２    スリップ回避構造
５２（５２ａ）    リブ
５２（５２ｂ）    可撓性のある部材
５２（５２ｃ）    磁石部材
Ｍ    モータ
【図１】
2019138153.tif 000003
【図２】
2019138153.tif 000004
【図３】
2019138153.tif 000005
【図４】
2019138153.tif 000006
【図５】
2019138153.tif 000007
【図６】
2019138153.tif 000008
【図７】
2019138153.tif 000009
【図８】
2019138153.tif 000010
【図９】
2019138153.tif 000011
【図１０】
2019138153.tif 000012
【図１１】
2019138153.tif 000013
【図１２】
2019138153.tif 000014
【図１３】
2019138153.tif 000015
【図１４】
2019138153.tif 000016
【図１５】
2019138153.tif 000017
【図１６】
2019138153.tif 000018
【図１７】
2019138153.tif 000019
【図１８】
2019138153.tif 000020
【図１９】
2019138153.tif 000021
【図２０】
2019138153.tif 000022
【図２１】
2019138153.tif 000023
【図２２】
2019138153.tif 000024
【図２３】
2019138153.tif 000025